【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
接続部を介して互いに回動可能に接続された第１のケース及び第２のケースと、
撮像手段と、
前記撮像手段を連続的に駆動させることにより動画ファイルを取得する動画取得手段と、
前記接続部を介した前記第１のケースと前記第２のケースとの相対的な位置関係の変化を検出する第１の検出手段と、
前記第１の検出手段による検出に基づいて、前記動画取得手段による動画ファイルの取得の開始若しくは終了を制御する取得制御手段と、
を備えたことを特徴とする動画撮影装置。
【請求項２】
前記第１のケースと前記第２のケースとを回動可能に接続するための回動部と前記撮像手段とを備える第３のケースを更に備えたことを特徴とする請求項１に記載の動画撮影装置。
【請求項３】
前記第１のケースと前記第２のケースとの相対的な位置関係の変化の開始から終了までの時間を計測する計測手段と、
前記計測手段によって計測された時間に基づいて、前記動画取得手段によって取得された動画ファイルに加工処理を施す加工処理手段と、
を更に備えたことを特徴とする請求項１又は２に記載の動画撮影装置。
【請求項４】
前記加工処理手段は、前記取得制御手段によって取得された動画ファイルの先頭フレームから所定フレームに対して加工処理を施すことを特徴とする請求項３に記載の動画撮影装置。
【請求項５】
前記加工処理手段は、前記取得制御手段によって取得された動画ファイルの所定フレームから先頭フレームに対して加工処理を施すことを特徴とする請求項３に記載の動画撮影装置。
【請求項６】
前記第１のケースと前記第２のケースとの相対的な位置関係の変化の開始から終了までの単位時間あたりの位置関係の度合いを検出する第２の検出手段を更に備え、
前記加工処理手段は、前記第２の検出手段によって検出された度合いに基づいて、前記動画取得手段によって取得された動画ファイルに加工処理を施すことを特徴とする請求項３〜５のいずれか一項に記載の動画撮影装置。
【請求項７】
前記動画取得手段による動画取得の終了を指示する指示手段と、
前記指示手段による動画取得を終了、又は前記第１の検出手段による検出によって動画取得を終了に応じて前記加工処理手段を制御する制御手段と、
を更に備えることを特徴とする請求項３〜６のいずれか一項に記載の動画撮影装置。
【請求項８】
第１の表示手段と、
第２の表示手段と、
前記撮像手段を連続的に駆動させることによるイメージデータを元に前記第２の表示手段に表示させる第１の表示制御手段と、
前記第１の検出手段によって、前記第１のケースと第２のケースとの相対的な位置関係の変化を検出することにより、前記撮像手段を連続的に駆動させることによるイメージデータを元に前記第１の表示手段に表示させるよう制御する第２の表示制御手段と、
を更に備えたことを特徴とする請求項１〜７のいずれか一項に記載の動画撮影装置。
【請求項９】
前記動画取得手段によって取得された動画ファイルを保持する第１の記憶手段と、
前記加工処理手段によって加工処理された動画ファイルを保持する第２の記憶手段と、
を更に備えることを特徴とする請求項１〜８のいずれか一項に記載の動画撮影装置。
【請求項１０】
接続部を介して回動可能に接続された第１のケース及び第２のケースを有する動画撮影装置の動画撮影制御方法であって、
撮像部を連続的に駆動させることにより動画ファイルを取得する動画取得ステップと、
前記接続部を介した前記第１のケースと第２のケースとの位置関係の変化を検出する検出ステップと、
前記検出ステップによる検出結果に基づいて、前記動画取得ステップによる動画ファイル取得の開始若しくは終了を制御する取得制御ステップと、
を含むことを特徴とする動画撮影制御方法。
【請求項１１】
撮像部と、接続部を介して回動可能に接続された第１のケース及び第２のケースとを有する動画撮影装置のコンピュータを、
前記撮像部を連続的に駆動させることにより動画ファイルを取得する動画取得手段、
前記接続部を介した前記第１のケースと前記第２のケースとの位置関係の変化を検出する検出手段、
前記検出手段による検出に基づいて、前記動画取得手段による動画ファイルの取得の開始若しくは終了を制御する取得制御手段、
として機能させることを特徴とする動画撮影制御プログラム。
【手続補正２】
【補正対象書類名】明細書
【補正対象項目名】０００６
【補正方法】変更
【補正の内容】
【０００６】
請求項２に記載の発明は、請求項１に記載の発明において、前記第１のケースと前記第２のケースとを回動可能に接続するための回動部と前記撮像手段とを備える第３のケースを更に備えたことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項３に記載の発明は、請求項１又は２に記載の発明において、前記第１のケースと前記第２のケースとの相対的な位置関係の変化の開始から終了までの時間を計測する計測手段と、前記計測手段によって計測された時間に基づいて、前記動画取得手段によって取得された動画ファイルに加工処理を施す加工処理手段と、を更に備えたことを特徴とする。
【手続補正５】
【補正対象書類名】明細書
【補正対象項目名】０００９
【補正方法】変更
【補正の内容】
【０００９】
請求項４に記載の発明は、請求項３に記載の発明において、前記加工処理手段は、前記取得制御手段によって取得された動画ファイルの先頭フレームから所定フレームに対して加工処理を施すことを特徴とする。
【手続補正６】
【補正対象書類名】明細書
【補正対象項目名】００１０
【補正方法】変更
【補正の内容】
【００１０】
請求項５に記載の発明は、請求項３に記載の発明において、前記加工処理手段は、前記取得制御手段によって取得された動画ファイルの所定フレームから先頭フレームに対して加工処理を施すことを特徴とする。
【手続補正７】
【補正対象書類名】明細書
【補正対象項目名】００１１
【補正方法】変更
【補正の内容】
【００１１】
請求項６に記載の発明は、請求項３〜５のいずれか一項に記載の発明において、前記第１のケースと前記第２のケースとの相対的な位置関係の変化の開始から終了までの単位時間あたりの位置関係の度合いを検出する第２の検出手段を更に備え、前記加工処理手段は、前記第２の検出手段によって検出された度合いに基づいて、前記動画取得手段によって取得された動画ファイルに加工処理を施すことを特徴とする。
【手続補正８】
【補正対象書類名】明細書
【補正対象項目名】００１２
【補正方法】変更
【補正の内容】
【００１２】
請求項７に記載の発明は、請求項３〜６のいずれか一項に記載の発明において、前記動画取得手段による動画取得の終了を指示する指示手段と、前記指示手段による動画取得を終了、又は前記第１の検出手段による検出によって動画取得を終了に応じて前記加工処理手段を制御する制御手段と、を更に備えることを特徴とする。
【手続補正９】
【補正対象書類名】明細書
【補正対象項目名】００１３
【補正方法】変更
【補正の内容】
【００１３】
請求項８に記載の発明は、請求項１〜７のいずれか一項に記載の発明において、第１の表示手段と、第２の表示手段と、前記撮像手段を連続的に駆動させることによるイメージデータを元に前記第２の表示手段に表示させる第１の表示制御手段と、前記第１の検出手段によって、前記第１のケースと第２のケースとの相対的な位置関係の変化を検出することにより、前記撮像手段を連続的に駆動させることによるイメージデータを元に前記第１の表示手段に表示させるよう制御する第２の表示制御手段と、を更に備えたことを特徴とする。
【手続補正１０】
【補正対象書類名】明細書
【補正対象項目名】００１４
【補正方法】変更
【補正の内容】
【００１４】
請求項９に記載の発明は、請求項１〜８のいずれか一項に記載の発明において、前記動画取得手段によって取得された動画ファイルを保持する第１の記憶手段と、前記加工処理手段によって加工処理された動画ファイルを保持する第２の記憶手段と、を更に備えることを特徴とする。
【手続補正１１】
【補正対象書類名】明細書
【補正対象項目名】００１５
【補正方法】変更
【補正の内容】
【００１５】
上記課題を解決するために、請求項１０に記載の発明は、接続部を介して回動可能に接続された第１のケース及び第２のケースを有する動画撮影装置の動画撮影制御方法であって、撮像部を連続的に駆動させることにより動画ファイルを取得する動画取得ステップと、前記接続部を介した前記第１のケースと第２のケースとの位置関係の変化を検出する検出ステップと、前記検出ステップによる検出結果に基づいて、前記動画取得ステップによる動画ファイル取得の開始若しくは終了を制御する取得制御ステップと、を含むことを特徴とする。
【手続補正１２】
【補正対象書類名】明細書
【補正対象項目名】００１６
【補正方法】変更
【補正の内容】
【００１６】
上記課題を解決するために、請求項１１に記載の発明は、撮像部と、接続部を介して回動可能に接続された第１のケース及び第２のケースとを有する動画撮影装置のコンピュータを、前記撮像部を連続的に駆動させることにより動画ファイルを取得する動画取得手段、前記接続部を介した前記第１のケースと前記第２のケースとの位置関係の変化を検出する検出手段、前記検出手段による検出に基づいて、前記動画取得手段による動画ファイルの取得の開始若しくは終了を制御する取得制御手段、として機能させることを特徴とする。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】